(57)【要約】【課題】縮めた場合に遮光部材の相互の壁が接し、屈曲部の位置がずれて醜く歪むことのない蛇腹形式の遮光部材を有する顕微鏡および顕微鏡鏡筒を提供する。【解決手段】リフト固定部材１７と、リフト固定部材１７に対して移動可能なリフト移動部材１６と、リフト固定部材１７とリフト移動部材１６との間に設けられ、蛇腹状の伸縮自在な遮光部材１８を備えており、遮光部材１８の屈曲部１８ａが壁部１８ｂよりも肉薄であり、この肉薄の屈曲部１８ａで折り畳まれる。【選択図】  図１０
2011107303.tif 000002
【特許請求の範囲】
【請求項１】
固定部と、
上記固定部に対して移動可能な移動部と、
上記固定部と上記移動部との間に設けられ、蛇腹状の伸縮自在な遮光部材と、
を備え、上記遮光部材の屈曲部が壁部よりも肉薄であることを特徴とする顕微鏡。
【請求項２】
上記遮光部材は、上面の外周部が略正方形または略長方形で形成され、上記上面に概ね沿う形状の板材を内包していることを特徴とする請求項１に記載の顕微鏡。
【請求項３】
上記遮光部材は、上面および下面が上記壁部よりも肉厚であることを特徴とする請求項１に記載の顕微鏡。
【請求項４】
上記遮光部材は、互いに向き合う面に凸部を設けたことを特徴とする請求項１に記載の顕微鏡。
【請求項５】
伸縮機構を備えた顕微鏡鏡筒において、
上記伸縮機構によって伸縮する蛇腹形状の遮光部材を備え、
上記遮光部材の屈曲部が壁部よりも肉薄であり、上面の外周部が略正方形または略長方形で形成され、上記上面に概ね沿う形状の板材を内包しており、上記上面および下面が上記壁部よりも肉厚であることを特徴とする顕微鏡鏡筒。
【発明の詳細な説明】
【技術分野】
【０００１】
本発明は、顕微鏡および顕微鏡鏡筒に関し、詳しくは、蛇腹形状の遮光部材を有する顕微鏡および顕微鏡鏡筒に関する。
【背景技術】
【０００２】
蛇腹形状の遮光部材を用いた顕微鏡が知られている。例えば、特許文献１には、固定部としての蛍光顕微鏡ステージと、移動部としての対物レンズの間に、この間を遮光するための蛇腹形状の遮光部材を備えた蛍光顕微鏡が開示されている。この遮光部材は、観察対象である試料に対して外光を遮断するためのものであり、試料と対物レンズ間の距離が変化しても確実に遮光するために蛇腹形状となっている。また、特許文献２には、自動車の車軸に装着される等速ジョイントブーツや、シフトレバーに装着される樹脂製ブーツが開示されており、この樹脂製ブーツは蛇腹形式を採用しており、蛇腹部の谷部を隣り合う山部の厚みと同じかそれよりも厚くしている。
【先行技術文献】
【特許文献】
【０００３】
【特許文献１】特開２００５−３４５７１８号公報
【特許文献２】特開２００６−３０８００２号公報
【発明の概要】
【発明が解決しようとする課題】
【０００４】
顕微鏡では、ユーザの様々な体型や検査姿勢に応じて、観察の視点位置の高さや角度を調整できることが要請されている。このため、接眼部の設けられている鏡筒部が、テレスコピック動作、リフト動作、ティルティング動作を行えるようにしたものもある。ここで、テレスコピック動作は鏡筒部がユーザの視線方向（水平方向）に対して前後移動する伸縮動作であり、リフト動作は鏡筒部が上下移動する伸縮動作であり、この伸縮動作に応じて接眼部が上下移動する。また、ティルティング動作は接眼部の角度を調整する動作である。テレスコピック動作やリフト動作の際には、鏡筒の一部が伸縮するため、伸縮が最大に延びた状態や最小に縮んだ状態のいずれの状態であっても、観察画像の劣化を防止するために、観察像の光路を覆って遮光状態にする必要がある。
【０００５】
このため、可動領域の全域を硬質カバー部品で遮光することが考えられる。しかし、この方法では、可動側カバーと固定側カバーを常に重なりあうように構成する必要があり、外観が一回り大きくなってしまうという問題がある。また、リフト動作によって下方に移動させると、カバー部材が鏡筒内部に入り込み、テレスコピック方向（水平方向）に向いている光路を遮断してしまう。従って、硬質カバー部品による遮光は顕微鏡においては適していない。
【０００６】
硬質カバー部品以外の遮光部材として、特許文献１に示されるような蛇腹形状の遮光部材を利用することが考えられる。この場合、小柄な観察者から大柄な観察者までが観察できるようにするため、観察の視点位置の調整量を大きくする必要があり、伸縮動作のストロークを長くすることが要求される。また、小柄な観察者が観察しやすい状態にするためには、視点位置をできるだけ低くすることが要求されるため、最小の状態では密着状態にすることが必要となる。そのため、動作ストロークを長くするほど遮光部材は大型化し、鏡筒を縮めた際に遮光部材を小さく収納することが困難となる。例えば、動作ストロークが５０ｍｍあり、最も縮んだ状態で遮光部材の収納スペースが１０ｍｍしかなければ、１／５に縮めなければならない。このため、遮光部材を蛇腹形状とした場合には、蛇腹部が密着するほど畳み込むことが必要となる。
【０００７】
安価な蛇腹形状の遮光部材として、ゴムによる成型品がある。遮光部材は外側から見える部材であり、伸縮動作のどの位置においても醜く歪むことなく、美しく変化することが望ましい。前述の特許文献１において開示された蛇腹形式の遮光部材は、蛇腹部材が密着するほど折り畳むことまでは考慮されていない。この遮光部材を均一な肉厚のゴム製で構成すると、小さく縮めた場合には、図１６に示すように、遮光部材２５の屈曲部２５ａが大きく膨らんだり、また屈曲部２５ａ同士の位置がずれて醜く歪んでしまい外観の品位を損なってしまう。
【０００８】
本発明は、このような事情を鑑みてなされたものであり、縮めた場合に遮光部材の相互の壁が接し、屈曲部の位置がずれて醜く歪むことのない蛇腹形式の遮光部材を有する顕微鏡および顕微鏡鏡筒を提供することを目的とする。
【課題を解決するための手段】
【０００９】
上記目的を達成するため第１の発明に係わる顕微鏡は、固定部と、上記固定部に対して移動可能な移動部と、上記固定部と上記移動部との間に設けられ、蛇腹状の伸縮自在な遮光部材と、を備え、上記遮光部材の屈曲部が壁部よりも肉薄である。
【００１０】
第２の発明に係わる顕微鏡は、上記第１の発明において、上記遮光部材は、上面の外周部が略正方形または略長方形で形成され、上記上面に概ね沿う形状の板材を内包している。
第３の発明に係わる顕微鏡は、上記第１の発明において、上記遮光部材は、上面および下面が上記壁部よりも肉厚である。
第４の発明に係わる顕微鏡は、上記第１の発明において、互いに向き合う面に凸部を設けている。
【００１１】
第５の発明に係わる顕微鏡鏡筒は、伸縮機構を備えた顕微鏡鏡筒において、上記伸縮機構によって伸縮する蛇腹形状の遮光部材を備え、上記遮光部材の屈曲部が壁部よりも肉薄であり、上面の外周部が略正方形または略長方形で形成され、上記上面に概ね沿う形状の板材を内包しており、上記上面および下面が上記壁部よりも肉厚である。
【発明の効果】
【００１２】
第１の発明によれば、遮光部材の屈曲部を壁部よりも肉薄に形成している。このため、遮光部材を最小状態に密着させたり、伸ばした際に、屈曲部が確実に曲げ伸ばされ、特に、密着させた状態でも壁部に変形が生ずることがなく、蛇腹の形状を美しく保つことができる。
【００１３】
第２の発明によれば、遮光部材の上面が蛇腹形状の外観上の山折り頂点の幅で形成され、上面に概ね沿う形状の板材を内包している。このため、蛇腹形状の遮光部材を伸縮させた場合に、均等に力が遮光部材にかかるようにすることができ、外から見て美しい伸縮動作を行う。
【００１４】
第３の発明によれば、遮光部材の上面および下面を壁部よりも肉厚にしている。このため、上面および下面は固定されて伸縮することがなく、蛇腹形状の遮光部材のみが、外から見て美しい伸縮動作を行う。
【００１５】
第４の発明によれば、互いに向き合う面に凸部を設けている。このため、遮光部材が縮められた際に、凸部によって隙間が生じ、壁同士の密着面積が減少することから、長期間放置後の初動作においてもスムースな動作となる。
【００１６】
第５の発明によれば、屈曲部が壁部よりも肉薄であり、上面が蛇腹形状の外観上の山折り頂点の幅で形成され、上面に概ね沿う形状の板材を内包しており、上面および下面が上記壁部よりも肉厚に形成した遮光部材を備えている。このため、遮光部材を伸縮させた際に、屈曲部が確実に曲げ伸ばされ、壁部に変形が生ずることがなく、蛇腹の形状を美しく保つことができ、また外から見て美しい伸縮動作を行うことができる。
【図面の簡単な説明】
【００１７】
【図１】本発明の一実施形態に係わる顕微鏡の外観を示す図であって、（ａ）は顕微鏡の左側面図であり、（ｂ）は顕微鏡の正面図である。
【図２】本発明の一実施形態に係わる顕微鏡において、鏡筒部および双眼部を最小サイズにした際の外観図を示す図であって、（ａ）は左側面図であり、（ｂ）は正面図である。
【図３】本発明の一実施形態に係わる顕微鏡において、鏡筒部および双眼部を最大サイズにした際の外観図を示す図であって、（ａ）は左側面図であり、（ｂ）は正面図である。
【図４】本発明の一実施形態に係わる顕微鏡において、鏡筒部および双眼部を最小限サイズにした場合における図２（ｂ）のＡ−Ａ断面図である。
【図５】本発明の一実施形態に係わる顕微鏡において、鏡筒および双眼部をテレスコピック伸展状態にした場合における図２（ｂ）のＡ−Ａ方向と同方向に沿っての断面図である。
【図６】本発明の一実施形態に係わる顕微鏡において、鏡筒および双眼部をリフト伸展状態にした場合における図２（ｂ）のＡ−Ａ方向と同方向に沿っての部分断面図である。
【図７】本発明の一実施形態に係わる顕微鏡において、遮光部材の外観斜視図である。
【図８】本発明の一実施形態に係わる顕微鏡において、遮光部材の一部を断面図とした斜視図である。
【図９】本発明の一実施形態に係わる顕微鏡において、遮光部材の取り付け状態を示す斜視図である。
【図１０】本発明の一実施形態に係わる顕微鏡において、図６のＢ部分における遮光部材の部分断面図である。
【図１１】本発明の一実施形態に係わる顕微鏡において、遮光部材を折り畳んだ際の部分断面図である。
【図１２】本発明の一実施形態に係わる顕微鏡において、遮光部材の外観側面図であり、（ａ）は遮光部材を伸展させた場合であり、（ｂ）は遮光部材を折り畳んだ場合である。
【図１３】本発明の一実施形態に係わる顕微鏡の遮光部材の変形例１であり、部分断面図である。
【図１４】本発明の一実施形態に係わる顕微鏡の遮光部材の変形例２であり、部分断面図である。
【図１５】本発明の一実施形態に係わる顕微鏡の変形例２に示す遮光部材を折り畳んだ状態における部分断面図である。
【図１６】従来における顕微鏡の遮光部材を折り畳んだ際の部分断面図である。
【発明を実施するための形態】
【００１８】
以下、図面に従って本発明を適用した顕微鏡を用いて好ましい一実施形態について説明する。図１は、本発明の一実施形態に係わる顕微鏡の外観図であって、図１（ａ）は左側面図であり、図１（ｂ）は正面図である。ベース１０１は照明光学系が配置されており、観察試料を照明する。支柱１０２は、ベース１０１と直交しており、この支柱１０２にはベース１０１と略並行に支持アーム１０７が一体に構成されている。これらのベース１０１、支柱１０２、支持アーム１０７によってコ字形状の基本構造が形成されている。ベース１０１上にはステージ１０３が設けられており、このステージ１０３上に観察試料が載置可能である。
【００１９】
支持アーム１０７には、レボルバ保持部材１０６が設けられている。このレボルバ保持部材１０６の底部には回転自在なレボルバ１０５が配置されており、このレボルバ１０５には対物レンズ１０４が装着可能である。レボルバ保持部材１０６内には、アフォーカル光学系が配置されており、このアフォーカル光学系の光軸は対物レンズ１０４の光軸と一致している。
【００２０】
支持アーム１０７の上部には、内部にアフォーカル光学系を有する鏡筒部１１１が設けられている。レボルバ保持部材１０６内の光学系の出射部と、鏡筒部１１１の光学系の入射部において、光軸が一致している。鏡筒部１１１には、リフトハンドル１３が設けられており、このリフトハンドル１３を回動操作することにより、リフト動作、すなわち鏡筒部１１１に対する双眼部１１２の上下方向の高さを調節することができる。また、鏡筒部１１１は、後述するように、テレスコピック方向（水平方法）に伸展させることができる。
【００２１】
鏡筒部１１１の上部には、鏡筒部１１１内の光学系によって形成される光学像を２つの光学像に分割するための光学系を有する双眼部１１２が設けられている。この双眼部１１２の端部には、左右一対の接眼レンズ１１３が配置されている。また、この双眼部１１２はその保持部において角度が可変である。
【００２２】
次に、鏡筒部１１１および双眼部１１２の構成について、図２ないし図６を用いて説明する。図２および図３は鏡筒部１１１および双眼部１１２の外観図であり、図２はテレスコピック動作によって水平方向のサイズを最小限にすると共に、リフト動作によって上下方向のサイズを最小限に縮小した状態を示す。また、図３はテレスコピック動作によって水平方向サイズを最大限に伸展すると共に、リフト動作によって上下方向のサイズを最大限に伸展した状態を示す。
【００２３】
図４は、図２（ｂ）のＡ−Ａ方向に沿っての断面図であり、テレスコピック動作およびリフト動作の両動作によって、最小限サイズにした状態である。図５は、図４の最小限サイズにした状態からテレスコピック伸展状態にした場合におけるＡ−Ａと同方向に沿っての断面図である。図６は、最小限サイズまたはテレスコピック状態から、リフト伸展状態にした場合であり、Ａ−Ａ方向と同方向に沿った部分断面図である。
【００２４】
鏡筒部１１１は、テレスコピック固定部材８とテレスコピック移動部材９から構成されている。テレスコピック固定部材８は、支持アーム１０７に固定され、テレスコピック移動部材９はテレスコピック固定部材８に、あり機構等により摺動自在に嵌合しており、矢印１０の方向に移動可能である。テレスコピック固定部材８内には、レボルバ保持部材１０６内の光学系によって伝達された観察像の光束が通過する入射部１と、これらの光束を反射するためのミラー２ａ、２ｂ、２ｃが設けられている。
【００２５】
入射部１はレンズを含んでおり、このレンズによってレボルバ保持部材１０６からの観察像は平行光束とされる。なお、ミラー２ａ、２ｂ、２ｃは、プリズム等、他の反射部材によって構成しても勿論かまわない。また、ミラー２ａ等のテレスコピック固定部材８に固定されている部材は、テレスコピック固定部材８と一体の後ろカバー２４によって覆われている。
【００２６】
テレスコピック移動部材９内には、ミラー４、リフト部１１、カバー１２が設けられている。ミラー４は、光路３に沿った観察像の光束を双眼部１１２の方向に反射する。ミラー４は、ミラー２ａ、２ｂ、２ｃと同様、プリズム等の他の反射部材でも構わない。リフト部１１は、詳しくは図６を用いて後述するが、リフトハンドル１３の回動操作に応じて、双眼部１１２を上下方向に移動させるための伸縮機構である。
【００２７】
カバー１２は、リフト部１１を覆っており、テレスコピック移動部材９と一体に構成されている。カバー１２を矢印１０の方向に引っ張ることにより、鏡筒部１１１は伸展状態となり（図３、図５参照）、カバー１２を押しこむことにより縮小状態（図２、図４参照）となる。したがって、カバー１２を操作することによりテレスコピック動作を行うことができる。また、テレスコピック動作によって伸展状態となった場合であっても、カバー１２は、後ろカバー２４と常に重なっており（図５参照）、外部からの光を遮光している。
【００２８】
双眼部１１２は、双眼保持部６、双眼部７および接眼レンズ１１３とから構成されている。双眼保持部６の内部には、図示しないミラーが２か所に設けられており、この２か所で光路５は折り曲げられている。また、双眼保持部６は、鏡筒部１１１に対する双眼部７の角度を所定の範囲で調整でき、この角度調整に伴って、前述の２か所のミラーでの反射角度が変化し、鏡筒部１１１からの観察像の光束が光路５を通って双眼部７に伝達される。双眼部７は、光路５を通って入射した観察像の光束を左右２つの光束に分割する。接眼レンズ１１３は、２つに分割された光束の各光路上に設けられており、ユーザがこの接眼レンズ１１３を介して観察像を観察する。
【００２９】
リフト部１１は、図６に示すように、ピニオンギア１４、ラック１５、リフト移動部材１６、リフト固定部材１７により構成されている。ピニオンギア１４は、リフトハンドル１３（図１、図２参照）の軸に形成されており、リフト固定部材１７に回転自在に軸支されている。また、ピニオンギア１４はラック１５と噛み合っており、ラック１５はリフト移動部材１６にネジによって固着されている。リフト移動部材１６はリフト固定部材１７と摺動可能に嵌合されており、接眼保持部６を回動自在に保持している。
【００３０】
また、リフト移動部材１６は、遮光部材１８の上面１８ｃと板材２０を固定している。このため、観察者がリフトハンドル１３を回動させると、ラック１５、リフト移動部材１６が矢印１９の方向にリフト動作を行う。遮光部材１８はリフト動作に併せて伸縮する。なお、リフト固定部材１７は、テレスコピック移動部材９に固定されており、テレスコピック移動部材９がいずれの位置にあっても、リフト部１１によるリフト機構は動作可能となっている。また、リフト動作によって光路５の長さが変化しても、観察像光束の光路はアフォーカル光学系によって構成されていることから、観察像には影響を与えることがない。
【００３１】
次に、遮光部材１８の詳細な構成について、図７ないし図１０を用いて説明する。図７は遮光部材１８の外観斜視図であり、図８は遮光部材１８の一部を断面図とした斜視図である。また、図９は遮光部材１８の取り付け状態を示すために、カバー１２の近傍を一部断面とした斜視図である。図１０は、図６に示すＢの部分についての部分断面図であり、遮光部材１８の蛇腹形状の詳細を示す。
【００３２】
遮光部材１８は、ゴムまたはエラストマーなどの弾性体の成形品であり、伸展状態および縮小状態のいずれの状態であっても同等の負荷がかかるように、伸展状態と縮小状態の略中間状態で成形される。遮光部材１８の下面１８ｅには、複数の孔１８ｆが設けられており、図９に示すように、テレスコピック移動部材９とリフト固定部材１７の突起形状に孔１８ｆを嵌め込み固定している。このため遮光部材１８は簡単に取り外しを行うことができる。また、遮光部材１８の全周を均一に固定するために、下面１８ｅはカバー１２によって、テレスコピック移動部材９とフィルと固定部材１７に押し付けられている。
【００３３】
遮光部１８の上面１８ｃの外周部１８ｄは、略正方形または略長方形で形成され、中間の蛇腹部の山折り頂点の外周部も略同形状で形成されている。遮光部材１８の上面１８ｃは、外周部１８ｄに概ね沿う形状の板材２０を内包している（図８参照）。板材２０の材質は、金属若しくは樹脂等であって、硬質なものであればよい。なお、板材２０は、遮光部材１８の成形後に下面１８ｅから、蛇腹部分を引っ張り伸ばしながら、図示の位置に設置する。板材２０と遮光部材１８の上面１８ｃは、図６に示すように、リフト移動部材１６に固定されており、また遮光部材１８の下面１８ｅは、リフト固定部材１７に固定されていることから、リフト動作に応じて、遮光部材１８の蛇腹形状は伸縮する。なお、上面１８ｃの外周部１８ｄと板材２０の形状は、略円形または楕円等の形状であってもよい。
【００３４】
遮光部材１８の屈曲部１８ａの谷側には、図１０に示すように、肉薄形状を設けており、壁部１８ｂよりも薄くなっている。ここで、屈曲部１８ａの肉薄部の厚さをａ、壁部１８ｂの厚さをｂ、上面１８ｃ（または下面１８ｅ）の厚さをｃ（ｅ）とすると、これらの厚さａ、ｂ、ｃは次のような関係が望ましい。
（１／３）ｂ≦ａ≦（２／３）ｂ  ・・・  （１）
（３／２）ｂ≦ｃ（ｅ）≦３ｂ  ・・・  （２）
【００３５】
したがって、屈曲部１８ａの厚さは、壁部１８ｂの１／３から２／３程度が望ましく、特に壁部１８ｂの１／２が最適である。また、上面１８ｃと下面１８ｅの厚さは、壁部１８ｂの厚さよりも厚く、１．５倍から３倍程度が望ましい。上面１８ｃおよび下面１８ｅの厚さを壁部１８ｂよりも厚くしているのは、蛇腹部分が伸縮する際に、上面１８ｃおよび下面１８ｅにおいて遮光部材１８を確実に保持するためである。なお、本実施形態においては、上面１８ｃと下面１８ｅの厚さは同じにしているが、壁部１８ｂの厚さよりも厚ければ、両者の厚さは同じでなくてもよい。上面１８ｃは板材２０によって補強されることから、上面１８ｃの方が下面１８ｅよりも薄くても構わない。
【００３６】
次に、本実施形態における動作について説明する。まず、テレスコピック動作について説明する。テレスコピック動作は、前述したように鏡筒部１１１をテレスコピック方向（水平方向）に伸展または縮小させる動作である。ユーザがカバー１２の部分を把持し矢印１０（図２、図４参照）の方向に引っ張ると、テレスコピック固定部材８に対してテレスコピック移動部材９が矢印１０の方向に移動し、テレスコピック移動部材９と一体に移動可能な双眼部１１２も矢印１０の方向に移動し、鏡筒部１１１が伸展する（図５参照）。この場合、鏡筒部１１１内の光路３の伸縮する部分は、アフォーカル光学系で構成されていることから、光路長が変化しても観察像に影響しない。ユーザがカバー１２の部分を把持し矢印１０と反対方向に押し込むと、テレスコピック移動部材９は反対方向に移動し、鏡筒部１１１は縮小する（図２、図４参照）。
【００３７】
続いて、リフト動作について説明する。リフト動作は前述したように鏡筒部内の移動部材が上下移動する伸縮動作であり、この伸縮動作に応じて双眼部１１２が上下移動する。ユーザがリフトハンドル１３を回転操作すると、ピニオンギア１４が回転し、これと噛合するラック１５が上方向または下方向に移動する。ラック１５が上下いずれかに移動すると、これと一体に構成されたリフト移動部材１６も上下に移動し、リフト移動部材１６によって保持されている双眼部１１２も上下に移動する。すなわち、リフトハンドル１３の回転操作に応じて、双眼部１１２が上下に移動するリフト動作が実行される。
【００３８】
リフト動作の際、上面１８ｃが引き上げられると、図１０に示すように、屈曲部１８ａの谷側の肉厚が壁部１８ｂよりも薄くしていることから、壁部１８ｂが変形することなく、確実に屈曲部１８ａが曲げ伸ばされる。また、上面１８ｃが引き下げられる場合は、遮光部材１８の向かい合う壁部１８ｂ同士が密着するほど縮めても、図１１に示すように、屈曲部１８ａが異常に盛り上がるような変形が発生しない。
【００３９】
また、リフト動作で遮光部材１８が引き上げられる際には、図１２（ａ）に示すように、板材２０が上面１８ｃの全体を引っ張り上げるように作動する。遮光部材１８が押下げられる際には、図１２（ｂ）に示すように、板材２０が壁部１８ｂの全体を押し下げるように作動する。このため、どの側面方向から見ても壁部１８ｂは均一に上下移動を行う。また、上面１８ｃと下面１８ｅは、壁部１８ｂよりも厚くしているので、伸縮動作を行うことはない。
【００４０】
以上、説明したように、本実施形態における遮光部材は、屈曲部１８ａが壁部１８ｂよりも肉薄に形成している。このため、安価な蛇腹形式でありながら、上下に伸縮する際に、屈曲部１８ａが曲げ伸ばされ壁部１８ｂが変形することがなく、蛇腹部の形状をきれいに保つことができる。特に、壁部１８ｂ同士が密着するほど縮めた場合であっても、屈曲部１８ａの異常な変形が発生しない。従来の遮光部材では、図１６に示すように、屈曲部の厚さが壁部と略同じであるか、厚く形成されていることから、壁部１８ｂを密着するほど縮めた場合には、屈曲部で異常に盛り上がっていたが、本実施形態においては、このような変形が発生することがない。
【００４１】
また、本実施形態においては、上面１８ｃに概ね沿う形状の板材２０を内包するようにしている。このため、上下に伸縮する際に、上面１８ｃが変形することがなく、蛇腹部が変形する。また、遮光部材１８をどの方向から見ても均一に上下移動させることができ、複数の段状に形成された蛇腹の稜線をきれいに保つことができる。
【００４２】
（変形例１）
遮光部材１８の変形例１として、図１３に遮光部材２１を示す。本発明の一実施形態においては、屈曲部１８ａは屈曲部の谷側に設けていたが、本変形例においては、屈曲部の山側を肉薄部とし、屈曲部２１ａを設けている。この屈曲部２１ａの厚さは、壁部２１ｂの厚さよりも薄くなっている。屈曲部２１ａの厚さは、一実施形態の場合と同様、壁部２１ｂの厚さの１／３から２／３程度であり、１／２が最適である。本変形例の作用および効果は一実施形態の場合と同様であるので、詳細な説明は省略する。
【００４３】
（変形例２）
また遮光部材１８の変形例２として、図１４、図１５に凸部を有する遮光部材２２を示す。本発明の一実施形態においては、壁部１８ｂの互いに向き合う面は平面のみであった。本変形例では、壁部２２ｂの互いに向き合う平面に、凸部として略半球状のリブ２２ｇを複数個、設けている。リブ２２ｇは、本変形例では、壁部２２ｂの厚さの１／２程度としているが、壁部２２ｂの材質等を勘案して最適になるように適宜変更してもよい。またリブ２２ｇは、蛇腹部が密着状態まで折り畳まれた際に、向かい合うリブ２２ｂ同士が接触しないように、位置をずらしている。なお、本変形例においては、凸部の形状を略半球状としているが、これに限らず、円筒状や円錐状等、平面より突出する形状であればよい。
【００４４】
本変形例においても、屈曲部２２ａの厚さを壁部２２ｂの厚さよりも薄くなるようにしているので、本発明の一実施形態と同様、上下に伸縮する際に、屈曲部２２ａが曲げ伸ばされ壁部２２ｂが変形することがない。また、本発明の一実施形態における作用に加えて、本変形例においては、蛇腹部が折り畳まれた際に、リブ２２ｇが向かい合う壁部２２ｂと接触し、多数の隙間２３が生じ、壁同士の密着面積が減少する。このため、蛇腹形状に折り畳まれ、密着状態で長期間放置した後、リフト動作を実行する際に、壁部同士が貼り付くことを防止でき、長期間放置後の初動作においてもスムースな動作となり、製品の品位を損なうことがない。特に、遮光部材２２をゴム等の弾性体で構成した場合には、この効果が顕著に発揮される。
【００４５】
以上、説明したように、本発明の一実施形態や変形例においては、遮光部材の屈曲部１８ａ、２１ａ、２２ａが、壁部１８ｂ、２１ｂ、２２ｂよりも肉薄にしている。このため、伸縮機構を動作させた際に、蛇腹状の遮光部材１８、２１、２２の異常な変形を防止することができ、外観に好適な美しい形状を保つことができる。
【００４６】
なお、本実施形態においては、鏡筒部１１１におけるリフト動作を行う部分に蛇腹形式の遮光部材に対して、本発明を適用した例を説明した。しかしこれに限らず、例えば特許文献１に開示されているように、ステージと対物レンズ間等、固定部材と移動部材の間、もしくは相互の間の距離が変化する部材間であれば、本発明を適用することができる。
【００４７】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００４８】
１・・・入射部、２・・・ミラー、３・・・光路、４・・・ミラー、５・・・光路、６・・・双眼保持部、７・・・双眼部、８・・・テレスコピック固定部材、９・・・テレスコピック移動部材、１０・・・矢印（移動方向）、１１・・・リフト部、１２・・・カバー、１３・・・リフトハンドル、１４・・・ピニオンギア、１５・・・ラック、１６・・・リフト移動部材、１７・・・リフト固定部材、１８・・・遮光部材、１８ａ・・・屈曲部、１８ｂ・・・壁部、１８ｃ・・・上面、１８ｄ・・・山折り頂点、１８ｅ・・・下面、１８ｆ・・・孔、１９・・・矢印（移動方向）、２０・・・板材、２１・・・遮光部材、２１ａ・・・屈曲部、２１ｂ・・・壁部、２２・・・遮光部材、２２ａ・・・屈曲部、２２ｂ・・・壁部、２２ｇ・・・リブ、２３・・・隙間、２４・・・後ろカバー、２５・・・遮光部材、２５ａ・・・屈曲部、１０１・・・ベース、１０２・・・支柱、１０３・・・ステージ、１０４・・・対物レンズ、１０５・・・レボルバ、１０６・・・レボルバ保持部材、１０７・・・支持アーム、１１１・・・鏡筒部、１１２・・・双眼部、１１３・・・接眼レンズ
【図１】
2011107303.tif 000003
【図２】
2011107303.tif 000004
【図３】
2011107303.tif 000005
【図４】
2011107303.tif 000006
【図５】
2011107303.tif 000007
【図６】
2011107303.tif 000008
【図７】
2011107303.tif 000009
【図８】
2011107303.tif 000010
【図９】
2011107303.tif 000011
【図１０】
2011107303.tif 000012
【図１１】
2011107303.tif 000013
【図１２】
2011107303.tif 000014
【図１３】
2011107303.tif 000015
【図１４】
2011107303.tif 000016
【図１５】
2011107303.tif 000017
【図１６】
2011107303.tif 000018